(57)【特許請求の範囲】
【請求項１】
複数のサイトまたは前記複数のサイトに含まれた複数のページをカテゴリ別に分類して併合する併合部と、
少なくとも１つのカテゴリを購買したユーザの広告を、前記購買されたカテゴリに対して併合された複数のサイトまたは前記複数のサイトに含まれた複数のページに提供する提供部と、
を備える、トラフィック提供システム。
【請求項２】
任意のカテゴリに対して入力された入札価格に基づいて前記カテゴリに対する前記ユーザを決定する入札部、
をさらに備える、請求項１に記載のトラフィック提供システム。
【請求項３】
前記入札部は、
前記決定されたユーザからサイトアドレスが入力され、
前記提供部は、
前記サイトアドレスに基づいて前記ユーザと関連したサイトを決定する、請求項４に記載のトラフィック提供システム。
【請求項４】
前記サイト及びページは、所定のトラフィック以下の値を有し、ページビューおよびユニーク・ビジター数のうちの少なくとも１つで表現される、請求項１に記載のトラフィック提供システム。
【請求項５】
所定のトラフィック以下のトラフィックを有する複数のサイトまたは前記複数のサイトに含まれた複数のページのうちの少なくとも１つを確認する確認部と、
前記複数のサイトまたは前記複数のページのうちの少なくとも１つをカテゴリ別に分類する分類部と、
を備える、請求項４記載のトラフィック提供システム。
【請求項６】
前記カテゴリは、入札価格に基づいてユーザに販売され、
前記ユーザと関連したサイトには、前記販売されたカテゴリに対するサイトまたは前記サイトに含まれたページのトラフィックが提供される、請求項５に記載のトラフィック提供システム。
【請求項７】
前記カテゴリは、入札価格に基づいて広告主に販売され、
前記カテゴリに該当するサイトまたはページには、前記広告主の広告が露出される、請求項５に記載のトラフィック提供システム。
【請求項８】
カテゴリに対する入札価格が入力される入力部と、
前記入札価格に基づいて前記カテゴリに分類された複数のサイトまたは前記複数のサイトに含まれた複数のページに自己の広告が提供されるユーザを決定するユーザ決定部と、
を備え、
前記カテゴリは、複数のサイトまたは前記複数のサイトに含まれた複数のページをカテゴリ別に分類した集合のうちの１つの集合に対応する、入札システム。
【請求項９】
前記集合は、前記複数のサイトまたは前記複数のサイトに含まれた複数のページをカテゴリ別に分類した集合のうちの少なくとも１つの集合を含む、請求項８に記載の入札システム。
【請求項１０】
前記入力部は、
前記ユーザと関連したサイトのサイトアドレスがさらに入力され、
前記サイトには、前記カテゴリに対するサイトまたはページへのリンクが設定される、請求項８に記載の入札システム。
【請求項１１】
前記ユーザ決定部は、
前記入札価格のうちで最も高い入札価格を入力したユーザを、前記カテゴリに対するユーザとして決定する、請求項８に記載の入札システム。
【請求項１２】
前記ユーザは、広告主を含み、
前記カテゴリに該当するサイトまたはページには、前記広告主の広告が露出される、請求項８に記載の入札システム。
【請求項１３】
併合部と提供部とを備えるトラフィック提供システムにおいて、
前記併合部が複数のサイトまたは前記複数のサイトに含まれた複数のページをカテゴリ別に分類して併合するステップと、
前記提供部が少なくとも１つのカテゴリを購買したユーザの広告を、前記購買されたカテゴリに対して併合された複数のサイトまたは前記複数のサイトに含まれた複数のページに提供するステップと、
を含む、トラフィック提供方法。
【請求項１４】
入札部をさらに備えるトラフィック提供システムにおいて、
前記入札部が任意のカテゴリに対して入力された入札価格に基づいて前記カテゴリに対する前記ユーザを決定するステップ、
をさらに含む、請求項１３に記載のトラフィック提供方法。
【請求項１５】
請求項１３又は１４の方法を実行させるためのプログラムを記録したコンピュータ読み取り可能な記録媒体。
【発明の詳細な説明】
【技術分野】
【０００１】
本発明は、小規模なトラフィックをカテゴリ別に併合して提供するトラフィック提供システムおよび方法、またはトラフィック併合システムおよび入札システムに関し、より詳細には、小規模なトラフィックをカテゴリ別に束ねて販売し、トラフィックが必要な場所にトラフィックを提供することができるシステムおよび方法に関する。
【従来技術】
【０００２】
一般的に、広告やサイトのトラフィックは、ページビュー（Ｐａｇｅ  Ｖｉｅｗ、ＰＶ）やユニーク・ビジター数（Ｕｎｉｑｕｅ  Ｖｉｓｉｔｏｒ、ＵＶ）などによって表現することができる。ここで、ページビューは、ユーザが特定サイトに入ってページを閲覧する数値を計量化したものであり、サイトの広告単価を決定する基準となり得る。また、ユニーク・ビジター数は、測定期間中に該当サイトに１回以上訪問した、重複しない訪問者の数を意味することができる。
【０００３】
このようなトラフィックにおいて、個人のブログやミニホームページやサイトなどのようなサイトは、全体的なトラフィックの規模は非常に大きいが極めて多数に分散されており、トラフィックを効率的に利用することが困難である。例えば、最近、個人のブログなどに広告を設置し、ブログの運営者に広告収益を分配するサービスが存在している。すなわち、ブローカが特定製品に対する経験記や使用情報などを記載したページに該当製品の広告を記載する場合、単純に広告主の立場のみを代弁する広告よりも大きい効果を得ることができる上に、ブローカも分配される広告収益を得ることができるという効果がある。しかしながら、このようなサービスに対してよく知られている特定ブローカのブログや特定サイトを除いた小規模サイトは、トラフィック発生程度が不備であり、このような小規模サイトのトラフィックを効率的に利用することが困難である。すなわち、このような小規模なサイトで発生するトラフィックの規模と質を向上させて効率的に活用する必要性がある。本明細書では、トラフィックの規模と質を向上させて効率的に活用することができるシステムおよび方法を提案する。
【発明の概要】
【発明が解決しようとする課題】
【０００４】
本発明は、トラフィックをカテゴリ別に併合し、併合されたトラフィックをカテゴリ別に販売してトラフィックの規模と質を向上させることで、トラフィックを必要とするサイトに必要なカテゴリのトラフィックを提供することができるトラフィック提供システムおよび方法を提供することを目的とする。
【０００５】
また、本発明は、複数のサイトまたは複数のサイトに含まれた複数のページをカテゴリ別に分類してトラフィックを併合することで、トラフィックの規模と質を向上させることができるトラフィック併合システムを提供することを他の目的とする。
【０００６】
さらに、本発明は、カテゴリ別に分類されたサイトまたはページのトラフィックを入札価格に基づいて販売することで、向上した規模と質のトラフィックを効率的に提供することができる入札システムを提供することをさらに他の目的とする。
【課題を解決するための手段】
【０００７】
本発明の一実施形態に係るトラフィック提供システムは、複数のサイトまたは前記複数のサイトに含まれた複数のページをカテゴリ別に分類して併合する併合部と、少なくとも１つのカテゴリを購買したユーザの広告を、前記購買されたカテゴリに対して併合された複数のサイトまたは前記複数のサイトに含まれた複数のページに提供する提供部とを備える。
【０００８】
本発明の一側面によれば、前記トラフィック併合部は、複数のサイトまたは前記複数のサイトに含まれた複数のページをカテゴリ別に分類して前記トラフィックを併合することができる。
【０００９】
本発明の一側面によれば、前記トラフィック提供部は、前記サイトに前記購買されたカテゴリに該当するサイトまたはページへのリンクを設定することができる。
【００１０】
本発明の一側面によれば、前記トラフィック提供システムは、任意のカテゴリに対して入力された入札価格に基づいて前記カテゴリに対するユーザを決定する入札部をさらに備えることができる。このとき、前記入札部は、前記決定されたユーザからサイトアドレスの入力を受けることができ、前記トラフィック提供部は、前記サイトアドレスに基づいて前記ユーザと関連したサイトを決定することができる。
【００１１】
本発明の一側面によれば、前記トラフィックは、所定のトラフィック以下の値を有し、ページビューおよびユニーク・ビジター数のうちの少なくとも１つで表現することができる。
【００１２】
本発明の一実施形態に係る広告提供方法は、トラフィックをカテゴリ別に併合するステップと、少なくとも１つのカテゴリを購買したユーザと関連したサイトに、前記購買されたカテゴリに対して併合されたトラフィックを提供するステップとを含む。
【００１３】
本発明の一実施形態に係るトラフィック併合システムは、所定のトラフィック以下のトラフィックを有する複数のサイトまたは前記複数のサイトに含まれた複数のページのうちの少なくとも１つを確認する確認部と、前記複数のサイトまたは前記複数のページのうちの少なくとも１つをカテゴリ別に分類する分類部とを備える。
【００１４】
本発明の一実施形態に係る入札システムは、カテゴリに対する入札価格が入力される入力部と、前記入札価格に基づいて前記カテゴリに対するユーザを決定するユーザ決定部とを備える。このとき、前記カテゴリは、複数のサイトまたは前記複数のサイトに含まれた複数のページのトラフィックをカテゴリ別に分類した集合のうちの１つの集合に対応する。
【発明の効果】
【００１５】
本発明によれば、トラフィックをカテゴリ別に併合し、併合されたトラフィックをカテゴリ別に販売してトラフィックの規模と質を向上させることで、トラフィックを必要とするサイトに必要なカテゴリのトラフィックを提供することができる。
【００１６】
また、本発明によれば、複数のサイトまたは前記複数のサイトに含まれた複数のページをカテゴリ別に分類してトラフィックを併合することで、トラフィックの規模と質を向上させることができる。
【００１７】
さらに、本発明によれば、カテゴリ別に分類されたサイトまたはページのトラフィックを入札価格に基づいて販売することで、向上した規模と質のトラフィックを効率的に提供することができる。
【図面の簡単な説明】
【００１８】
【図１】本発明の一実施形態において、トラフィック提供方法を示すフローチャートである。
【図２】複数のページをカテゴリ別に分類する一例を示す図である。
【図３】カテゴリに対するユーザを決定し、ユーザと関連したサイトにトラフィックを提供する一例を示す図である。
【図４】本発明の一実施形態において、トラフィック提供システムの内部構成を説明するためのブロック図である。
【図５】本発明の一実施形態において、トラフィック併合システムの内部構成を説明するためのブロック図である。
【図６】本発明の一実施形態において、入札システムの内部構成を説明するためのブロック図である。
【図７】カテゴリ別に統合されたトラフィックを用いて広告を提供する一例を示す図である。
【発明を実施するための形態】
【００１９】
以下、添付の図面を参照しながら、本発明に係る多様な実施形態について詳しく説明する。
【００２０】
図１は、本発明の一実施形態において、トラフィック提供方法を示すフローチャートである。本発明の一実施形態に係るトラフィック提供方法は、本発明の一実施形態に係るトラフィック提供システムによって実行することができる。図１の一実施形態では、トラフィック提供システムによってそれぞれのステップが実行される過程を説明することによってトラフィック提供方法を説明する。
【００２１】
ステップＳ１０１で、トラフィック提供システムは、トラフィックをカテゴリ別に併合する。このとき、トラフィック提供システムは、複数のサイトまたは複数のサイトに含まれた複数のページをカテゴリ別に分類してトラフィックを併合することができる。言い換えれば、トラフィック提供システムは、小規模なサイトに分散されているトラフィックを、複数のサイトをカテゴリ別に分類したり複数のサイトに含まれた複数のページをカテゴリ別に分類したりすることで、カテゴリ別に複数のサイトや複数のページのトラフィックを併合することができる。例えば、カテゴリ「金融」に該当するサイトまたはページをカテゴリ「金融」に分類することで、分散された「金融」に該当するトラフィックを併合することができる。ここで、トラフィックは、所定のトラフィック以下の値を有することができ、ページビューおよびユニーク・ビジター数のうちの少なくとも１つで表現することができる。例えば、トラフィックは、複数のページに対してはページビューを介して、複数のサイトに対してはユニーク・ビジター数を介して表現することができる。
【００２２】
ステップＳ１０２で、トラフィック提供システムは、任意のカテゴリに対して入力された入札価格に基づいてカテゴリに対するユーザを決定する。すなわち、ユーザは、所定のウェプページなどを介し、所望するカテゴリに対する入札価格を入力することができるが、この場合、トラフィック提供システムは、カテゴリに対して入力された入札価格によってカテゴリに対する広告主を決定できるようになる。例えば、最も高い入札価格を入力した広告主を、該当カテゴリに対する広告主として決定できるようになる。言い換えれば、トラフィック提供システムで入力された入札価格に基づいてトラフィックを併合したカテゴリそれぞれに対するユーザを決定することで、このユーザにカテゴリに対するトラフィックを販売できるようになる。
【００２３】
ステップＳ１０３で、トラフィック提供システムは、少なくとも１つのカテゴリを購買したユーザと関連したサイトに、購買されたカテゴリに対して併合されたトラフィックを提供する。このとき、トラフィック提供システムは、このサイトに購買されたカテゴリに該当するサイトまたはページへのリンクを設定することで、購買されたカテゴリに対して併合されたトラフィックを提供することができる。ここで、トラフィック提供システムは、ユーザから入力されるサイトアドレスに基づいて広告主と関連したサイトを決定することができる。
【００２４】
図２は、複数のページをカテゴリ別に分類する一例を示す図である。図２では、第１サイト２０１、第２サイト２０２、および第３サイト２０３の３つのサイトに含まれたページを２つのカテゴリに分類する一例を示している。すなわち、第１点線ボックス２０４に含まれた４つのページは第１カテゴリ２０５に分類され、第２点線ボックス２０６に含まれた５つのページは第２カテゴリ２０７に分類された様子を示している。すなわち、ページそれぞれのトラフィックは規模が小さいが、カテゴリに分類されたページのトラフィックの合計は規模が大きくなり、同じカテゴリに併合されることによってトラフィックの規模が大きくなるだけでなく、トラフィックの質を向上させることもできる。
【００２５】
図３は、カテゴリに対するユーザを決定し、ユーザと関連したサイトにトラフィックを提供する一例を示す図である。図３では、４つのページが分類されて含まれたカテゴリ３０１と、トラフィックが必要なサイトおよびユーザが入力した入札価格の内容を含むテーブル３０２と、カテゴリ３０１に該当するトラフィックが提供されたサイトＡ３０３の様子を示している。言い換えれば、図３は、カテゴリ３０１を所望するユーザがそれぞれ入札価格を入力することができ、テーブル３０２上で最も高い入札価格を提示したユーザと関連したサイトであるサイトＡ３０３に、４つのページに対するリンクが設定された様子を示している。このとき、サイトＡ３０３は、ユーザが入力したサイトアドレスに基づいて決定することができる。
【００２６】
このように、本発明の一実施形態に係るトラフィック提供方法を用いれば、複数のサイトまたは複数のページをカテゴリ別に分類することによってトラフィックを併合してカテゴリを販売し、このカテゴリを購買したユーザと関連したサイトにカテゴリに対するサイトまたはページに対するリンクを提供することで、分散されたトラフィックを統合して規模を確張し、トラフィックの質を向上させてトラフィックを必要とする場所に提供できるだけでなく、カテゴリ販売による収益を得ることができる。
【００２７】
図４は、本発明の一実施形態において、トラフィック提供システムの内部構成を説明するためのブロック図である。本発明の一実施形態に係るトラフィック提供システム４００は、図４に示すように、トラフィック併合部４０１と、入札部４０２と、トラフィック提供部４０３とを備える。
【００２８】
トラフィック併合部４０１は、トラフィックをカテゴリ別に併合する。このとき、トラフィック併合部４０１は、複数のサイトまたは複数のサイトに含まれた複数のページをカテゴリ別に分類してトラフィックを併合することができる。言い換えれば、トラフィック併合部４０１は、小規模なサイトに分散されているトラフィックを、複数のサイトをカテゴリ別に分類したり複数のサイトに含まれた複数のページをカテゴリ別に分類したりすることで、カテゴリ別に複数のサイトや複数のページのトラフィックを併合することができる。例えば、カテゴリ「金融」に該当するサイトまたはページをカテゴリ「金融」に分類することで、分散された「金融」に該当するトラフィックを併合することができる。ここで、トラフィックは、所定のトラフィック以下の値を有することができ、ページビューおよびユニーク・ビジター数のうちの少なくとも１つで表現することができる。
【００２９】
入札部４０２は、任意のカテゴリに対して入力された入札価格に基づいてカテゴリに対するユーザを決定する。すなわち、ユーザは、所定のウェプページなどを介し、所望するカテゴリに対する入札価格を入力することができるが、この場合、入札部４０２は、カテゴリに対して入力された入札価格によってカテゴリに対する広告主を決定できるようになる。例えば、最も高い入札価格を入力した広告主を、該当カテゴリに対する広告主として決定できるようになる。言い換えれば、入札部４０２で入力された入札価格に基づいてトラフィックを併合したカテゴリそれぞれに対するユーザを決定することで、このユーザにカテゴリに対するトラフィックを販売できるようになる。
【００３０】
トラフィック提供部４０３は、少なくとも１つのカテゴリを購買したユーザと関連したサイトに、購買されたカテゴリに対して併合されたトラフィックを提供する。このとき、トラフィック提供部４０３は、このサイトに購買されたカテゴリに該当するサイトまたはページへのリンクを設定することで、購買されたカテゴリに対して併合されたトラフィックを提供することができる。ここで、入札部４０２は、決定されたユーザからサイトアドレスが入力され、トラフィック提供部４０３は、サイトアドレスに基づいて広告主と関連したサイトを決定することができる。
【００３１】
図５は、本発明の一実施形態において、トラフィック併合システムの内部構成を説明するためのブロック図である。本発明の一実施形態に係るトラフィック併合システム５００は、図５に示すように、確認部５０１と、分類部５０２とを備える。
【００３２】
確認部５０１は、所定のトラフィック以下のトラフィックを有する複数のサイトまたは複数のサイトに含まれた複数のページのうちの少なくとも１つを確認する。ここで、所定のトラフィックは、小規模なトラフィックの併合に用いられるそれぞれのサイトまたはそれぞれのページを選定するのに用いられる基準であり、所定のトラフィックの大きさに応じて、カテゴリによるトラフィックの大きさやサイト数、またはページ数を決定することができる。このような所定のトラフィックは、運営者の必要に応じて調節することができる。
【００３３】
分類部５０２は、複数のサイトまたは複数のページのうちの少なくとも１つをカテゴリ別に分類する。このとき、カテゴリは、入札価格に基づいてユーザに販売されることができ、このユーザと関連したサイトには、販売されたカテゴリに対するサイトまたはサイトに含まれたページのトラフィックを提供することができる。また、ここで、トラフィックは、カテゴリを購買するユーザと関連したサイトに設定されるリンクを介してユーザと関連したサイトに提供することができ、リンクは、カテゴリに対するサイトまたはページへのリンクを意味することができる。これだけでなく、カテゴリは、入札価格に基づいて広告主に販売されることもできる。この場合、カテゴリに該当するサイトまたはページには、広告主の広告を露出することができる。すなわち、それぞれの分散されたトラフィックに対して個別的に広告を露出するのではなく、統合されたトラフィックに対して広告を露出させることができるようになる。
【００３４】
このように、本発明の一実施形態に係るトラフィック併合システムを介して併合されたトラフィックは、トラフィックを必要とする場所に提供することができる。また、トラフィック併合システムを介して併合されたトラフィックは、広告を効果的に提供することに用いることができる。例えば、カテゴリを購買した広告主の広告が、カテゴリに対するサイトまたはページに露出されるようにもできる。すなわち、個人のブログやミニホームページのような小規模サイトそれぞれは、トラフィックの規模が小さくて広告効果が小さく、多数の小規模サイトを用いるために小規模サイトを広告主がいちいち確認することも難しい。しかしながら、本発明の一実施形態に係るトラフィック併合システムを用いれば、カテゴリ別にトラフィックを併合してトラフィックの規模と質を向上させることで、小規模サイトを介しても広告効果を向上させることができる。
【００３５】
図６は、本発明の一実施形態において、入札システムの内部構成を説明するためのブロック図である。本発明の一実施形態に係る入札システム６００は、図６に示すように、入力部６０１と、ユーザ決定部６０２とを備える。
【００３６】
入力部６０１は、カテゴリに対する入札価格が入力される。このとき、カテゴリは、複数のサイトまたは複数のサイトに含まれた複数のページのトラフィックをカテゴリ別に分類した集合のうちの１つの集合に対応する。また、集合は、複数のサイトまたは複数のサイトに含まれた複数のページをカテゴリ別に分類した集合のうちの少なくとも１つの集合を含むことができる。すなわち、入力部６０１は、カテゴリ別に分類された複数のサイトまたは複数のページのトラフィックを用いようとするユーザから入札価格の入力を受けることができる。
【００３７】
ユーザ決定部６０２は、入札価格に基づいてカテゴリに対するユーザを決定する。このとき、ユーザ決定部６０２は、入札価格のうちで最も高い入札価格を入力したユーザを、カテゴリに対するユーザとして決定することができる。また、入力部６０１は、ユーザからこのユーザと関連したサイトのサイトアドレスの入力をさらに受けることができるが、このとき、このサイトには、カテゴリに対するサイトまたはページへのリンクを設定することができる。さらに、ユーザは広告主を含むことができるが、この場合、カテゴリに該当するサイトまたはページには、広告主の広告を露出することもできる。すなわち、それぞれの分散されたトラフィックにより、広告を提供するために努力をせずにカテゴリを購買するだけで、併合されたトラフィックを介して広告主の広告を露出することができる。
【００３８】
このように、本発明の一実施形態に係る入札システムを用いれば、カテゴリ別に併合されたトラフィックを用いようとするユーザにカテゴリを販売することで、販売収益を上昇させることができる。また、カテゴリ別に併合されたトラフィックを広告主に販売し、カテゴリに該当するサイトまたはページに広告主の広告を露出させることで、広告主がいちいち小規模サイトを確認しなくても簡単かつ簡便に広告を露出させることができ、広告に適したカテゴリを選定することによって広告の効果を向上させることができる。
【００３９】
図７は、カテゴリ別に統合されたトラフィックを用いて広告を提供する一例を示す図である。すなわち、サイトＡ７０１、サイトＢ７０２、およびサイトＣ７０３のページをカテゴリ別に分類し、そのうちのカテゴリ「自動車」に対してテーブル７０５のように３人の広告主が入札価格を入力した場合、最も高い入札価格を提示した広告主である広告主Ａの広告を、カテゴリ「自動車」に該当する点線ボックス７０６のように示された４つのページを介して露出することができる。このように、広告主は、広告主の広告が「自動車」と関連した場合、カテゴリ「自動車」を購買するだけでも「自動車」と関連した多くのページに自分の広告を露出させて広告効果を高めることができるようになる。
【００４０】
なお、本発明に係る実施形態は、コンピュータにより実現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるような機械語コードだけでなく、インタプリタなどを用いてコンピュータによって実行され得る高級言語コードを含む。前記したハードウェア要素は、本発明の動作を実行するために一以上のソフトウェアモジュールとして作動するように構成することができ、その逆もできる。
【００４１】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【符号の説明】
【００４２】
４００：トラフィック提供システム
４０１：トラフィック併合部
４０２：入札部
４０３：トラフィック提供部
５００：トラフィック併合システム
５０１：確認部
５０２：分類部
６００：入札システム
６０１：入力部
６０２：ユーザ決定部
【図１】
0005587561.tif 000002
【図２】
0005587561.tif 000003
【図３】
0005587561.tif 000004
【図４】
0005587561.tif 000005
【図５】
0005587561.tif 000006
【図６】
0005587561.tif 000007
【図７】
0005587561.tif 000008